(57)【要約】  ネジ締結部の省スペース化を行い側壁部の突出を抑えることに貢献することができる筐体構造体等を提供する。第１筐体は、内部空間の側面を覆う側壁と、側壁の内側に設けられた溝部と、溝部における側壁の根元側にてパッキンと接するパッキン受面と、溝部における側壁の先端側にて内側に突出した鍔部と、鍔部に設けられたネジ穴と、を有する。第２筐体は、内部空間の側面を覆うとともに、外側に突出し、かつ、溝部に挿入された側壁凸部と、側壁凸部における鍔部側にてネジと接するネジ受面と、側壁凸部におけるパッキン受面側にてパッキンと接するパッキン座面と、を有する。ネジは、第１筐体の前記ネジ穴に捻じ込まれることで、ネジの先端が第２筐体のネジ受面を押し付けて、第１筐体の前記パッキン受面と第２筐体のパッキン座面との間に配されたパッキンを圧縮するように構成される。
2019189677.tif 000002
【特許請求の範囲】
【請求項１】
第１筐体と第２筐体とがネジによって組み合わさるとともに、前記第１筐体と前記第２筐体との間にパッキンが挟み込まれ、かつ、前記第１筐体と前記第２筐体とによって覆われた内部空間にて内部電子機器が前記第１筐体又は前記第２筐体に実装された筐体構造体であって、
前記第１筐体は、
前記内部空間の側面を覆う側壁と、
前記側壁の内側に設けられた溝部と、
前記溝部における前記側壁の根元側にて前記パッキンと接するパッキン受面と、
前記溝部における前記側壁の先端側にて内側に突出した鍔部と、
前記鍔部に設けられたネジ穴と、
を有し、
前記第２筐体は、
前記内部空間の側面を覆うとともに、外側に突出し、かつ、前記溝部に挿入された側壁凸部と、
前記側壁凸部における前記鍔部側にて前記ネジと接するネジ受面と、
前記側壁凸部における前記パッキン受面側にて前記パッキンと接するパッキン座面と、
を有し、
前記ネジは、前記第１筐体の前記ネジ穴に捻じ込まれることで、前記ネジの先端が前記第２筐体の前記ネジ受面を押し付けて、前記第１筐体の前記パッキン受面と前記第２筐体の前記パッキン座面との間に配された前記パッキンを圧縮するように構成される、
筐体構造体。
【請求項２】
前記パッキンは、前記ネジの軸線上に配される、
請求項１記載の筐体構造体。
【請求項３】
前記筐体構造体の平面形状は、矩形状であり、
前記第１筐体は、前記矩形状の３辺にて、前記側壁、前記溝部、前記パッキン受面、前記鍔部、及び、前記ネジ穴を有し、
前記第２筐体は、前記矩形状の前記３辺にて、前記側壁凸部、前記ネジ受面、及び、前記パッキン座面を有する、
請求項１又は２記載の筐体構造体。
【請求項４】
前記第１筐体の前記溝部の溝幅は、前記側壁凸部の厚さに前記パッキンの厚さを加えた厚さよりも大きくなるように設定されている、
請求項１乃至３のいずれか一に記載の筐体構造体。
【請求項５】
前記パッキンは、前記パッキン受面又は前記パッキン座面に固定されている、
請求項１乃至４のいずれか一に記載の筐体構造体。
【請求項６】
前記第１筐体の前記ネジ穴は、前記鍔部に埋め込まれたインサートナットである、
請求項１乃至５のいずれか一に記載の筐体構造体。
【請求項７】
前記第１筐体と前記第２筐体とを組み合わせる他のネジをさらに有し、
前記第１筐体は、前記矩形状の前記３辺以外の辺にて、他の側壁を有し、
前記第１筐体の前記他の側壁は、先端部にて外側に突出した他の鍔部を有し、
前記第１筐体の前記他の鍔部は、貫通穴を有し、
前記第１筐体の前記パッキン受面は、前記第１筐体の前記他の側壁の根元の内側に隣接する面にも繋がっており、
前記第２筐体は、前記矩形状の前記３辺以外の辺にて、側壁を有し、
前記第２筐体の前記側壁は、先端部にて外側に突出した鍔部を有し、
前記第２筐体の前記鍔部は、ネジ穴を有し、
前記第２筐体の前記側壁は、前記第２筐体の前記パッキン座面を有し、
前記他のネジは、前記第１筐体の前記貫通穴を挿通し、かつ、前記第２筐体の前記ネジ穴に捻じ込まれることで、前記第１筐体の前記パッキン受面と前記第２筐体の前記パッキン座面との間に配された前記パッキンを圧縮するように構成される、
請求項３記載の筐体構造体。
【請求項８】
前記第１筐体と前記第２筐体とを組み合わせる他のネジをさらに有し、
前記第１筐体は、前記矩形状の前記３辺以外の辺にて、他の側壁を有し、
前記第１筐体の前記他の側壁は、先端部にて外側に突出した他の鍔部を有し、
前記第１筐体の前記他の鍔部は、他のネジ穴を有し、
前記第１筐体の前記パッキン受面は、前記第１筐体の前記他の側壁の根元の内側に隣接する面にも繋がっており、
前記第２筐体は、前記矩形状の前記３辺以外の辺にて、側壁を有し、
前記第２筐体の前記側壁は、先端部にて外側に突出した鍔部を有し、
前記第２筐体の前記鍔部は、貫通穴を有し、
前記第２筐体の前記側壁は、前記第２筐体の前記パッキン座面を有し、
前記他のネジは、前記第２筐体の前記貫通穴を挿通し、かつ、前記第１筐体の前記他のネジ穴に捻じ込まれることで、前記第１筐体の前記パッキン受面と前記第２筐体の前記パッキン座面との間に配された前記パッキンを圧縮するように構成される、
請求項３記載の筐体構造体。
【請求項９】
前記第１筐体と前記第２筐体とを組み合わせる他のネジ及びナットをさらに有し、
前記第１筐体は、前記矩形状の前記３辺以外の辺にて、他の側壁を有し、
前記第１筐体の前記他の側壁は、先端部にて外側に突出した他の鍔部を有し、
前記第１筐体の前記他の鍔部は、貫通穴を有し、
前記第１筐体の前記パッキン受面は、前記第１筐体の前記他の側壁の根元の内側に隣接する面にも繋がっており、
前記第２筐体は、前記矩形状の前記３辺以外の辺にて、側壁を有し、
前記第２筐体の前記側壁は、先端部にて外側に突出した鍔部を有し、
前記第２筐体の前記鍔部は、貫通穴を有し、
前記第２筐体の前記側壁は、前記第２筐体の前記パッキン座面を有し、
前記他のネジは、前記第１筐体の前記貫通穴を挿通し、かつ、前記第２筐体の前記貫通穴を貫通し、前記ナットと螺合することで、前記第１筐体の前記パッキン受面と前記第２筐体の前記パッキン座面との間に配された前記パッキンを圧縮するように構成される、
請求項３記載の筐体構造体。
【請求項１０】
請求項１乃至９のいずれか一に記載の筐体構造体の組立方法であって、
前記第２筐体の前記側壁凸部を、対応する前記第１筐体の前記溝部に挿入して、前記第１筐体に対して前記第２筐体をスライドさせて前記第１筐体と前記第２筐体とを組み合わせる工程と、
前記ネジを前記第１筐体の前記ネジ穴に捻じ込んで、前記第１筐体の前記パッキン受面と前記第２筐体の前記パッキン座面との間に配された前記パッキンを圧縮させる工程と、
を含む筐体構造体の組立方法。
【発明の詳細な説明】
【技術分野】
【０００１】
（関連出願についての記載）
本発明は、日本国特許出願：特願２０１８−０６８４８２号（２０１８年３月３０日出願）の優先権主張に基づくものであり、同出願の全記載内容は引用をもって本書に組み込み記載されているものとする
本発明は、筐体構造体及びその組立方法に関する。
【背景技術】
【０００２】
無線通信機器のような屋外に設置される電子機器（屋外機器）の筐体構造体は、カバーとケースとが組み合わさるように構成され、カバーとケースとの間に防水構造を有し、実装基板などの内部部品をカバー又はケースに取付けるように構成したものが一般的である。屋外機器の筐体構造体には、もともと高密度実装・小型化が求められている。【０００３】
また、第５世代無線通信網等で検討されている広帯域大容量の信号送受信やビームフォーミング技術を採用した屋外機器の筐体構造体では、サイトごとに必要に応じてアンテナ素子数を増やせるような拡張性が必要とされる。屋外機器の筐体構造体内に多素子アンテナユニットを複数台設置して拡張する場合、多素子アンテナユニット内においてアンテナ素子を一定間隔で配列して素子数を増やす必要があり、かつ、隣り合う多素子アンテナユニット間においてもアンテナ素子間の距離を同等間隔とする必要がある。【０００４】
さらに、アンテナ素子を有する屋外機器の筐体構造体は、電波の送受信を阻害しないために樹脂製であることが一般的である。樹脂製のカバーとケースとが組み合わさるように構成された筐体構造体では、弾性変形可能な樹脂の特性を利用して、カバー及びケースの一方に設けられた爪部を、他方に設けられた穴部に引っ掛けて、カバーとケースとを爪嵌合させる構成を採用したものがある。しかしながら、爪嵌合では、爪部の応力による変形、爪部の吸湿による緩みなど、屋外での長期信頼性の確保が困難であるという問題がある。そこで、樹脂製のカバーとケースとが組み合わさるように構成された筐体構造体では、カバーとケースとをネジで締結する構成が採用されるようになっている（例えば、特許文献１参照）。特許文献１のようにカバーとケースとをネジで締結する構成の筐体構造体では、パッキンの圧縮力とネジの軸力方向が一致する構成をとることが一般的である。
【先行技術文献】
【特許文献】
【０００５】
【特許文献１】特開２００８−１９２７５０号公報
【発明の概要】
【発明が解決しようとする課題】
【０００６】
以下の分析は、本願発明者により与えられる。【０００７】
しかしながら、特許文献１に記載の構成では、パッキンの外周の全周に渡ってネジ締結部のスペースを確保しているため、筐体構造体の側壁部が全周に渡って外側に突出してしまうという問題がある。【０００８】
本発明の主な課題は、ネジ締結部の省スペース化を行い側壁部の突出を抑えることに貢献することができる筐体構造体及びその組立方法を提供することである。
【課題を解決するための手段】
【０００９】
第１の視点に係る筐体構造体は、第１筐体と第２筐体とがネジによって組み合わさるとともに、前記第１筐体と前記第２筐体との間にパッキンが挟み込まれ、かつ、前記第１筐体と前記第２筐体とによって覆われた内部空間にて内部電子機器が前記第１筐体又は前記第２筐体に実装された筐体構造体である。前記第１筐体は、前記内部空間の側面を覆う側壁と、前記側壁の内側に設けられた溝部と、前記溝部における前記側壁の根元側にて前記パッキンと接するパッキン受面と、前記溝部における前記側壁の先端側にて内側に突出した鍔部と、前記鍔部に設けられたネジ穴と、を有する。前記第２筐体は、前記内部空間の側面を覆うとともに、外側に突出し、かつ、前記溝部に挿入された側壁凸部と、前記側壁凸部における前記鍔部側にて前記ネジと接するネジ受面と、前記側壁凸部における前記パッキン受面側にて前記パッキンと接するパッキン座面と、を有する。前記ネジは、前記第１筐体の前記ネジ穴に捻じ込まれることで、前記ネジの先端が前記第２筐体の前記ネジ受面を押し付けて、前記第１筐体の前記パッキン受面と前記第２筐体の前記パッキン座面との間に配された前記パッキンを圧縮するように構成される。【００１０】
第２の視点に係る筐体構造体（前記第１の視点に係る筐体構造体）の組立方法は、前記第２筐体の前記側壁凸部を、対応する前記第１筐体の前記溝部に挿入して、前記第１筐体に対して前記第２筐体をスライドさせて前記第１筐体と前記第２筐体とを組み合わせる工程と、前記ネジを前記第１筐体の前記ネジ穴に捻じ込んで、前記第１筐体の前記パッキン受面と前記第２筐体の前記パッキン座面との間に配された前記パッキンを圧縮させる工程と、を含む。
【発明の効果】
【００１１】
前記第１、第２の視点によれば、ネジ締結部の省スペース化を行い側壁部の突出を抑えることに貢献することができる。
【図面の簡単な説明】
【００１２】
【図１】実施形態１に係る筐体構造体の構成を模式的に示した斜視図である。
【図２】実施形態１に係る筐体構造体の構成を模式的に示した展開斜視図である。
【図３】実施形態１に係る筐体構造体の構成を模式的に示した図１のＸ−Ｘ’間の断面図である。
【図４】実施形態１に係る筐体構造体の構成を模式的に示した図１のＸ−Ｘ’間の部分拡大断面図である。
【図５】実施形態１に係る筐体構造体の構成を模式的に示した図１のＹ−Ｙ’間の断面図である。
【図６】実施形態１に係る筐体構造体の組立方法の第１の工程を模式的に示した図１のＹ−Ｙ’間の断面図である。
【図７】実施形態１に係る筐体構造体の組立方法の第２の工程を模式的に示した図１のＹ−Ｙ’間の断面図である。
【図８】実施形態２に係る筐体構造体の構成を模式的に示した断面図（図１のＹ−Ｙ’間に相当する断面図）である。
【図９】実施形態３に係る筐体構造体の構成を模式的に示した断面図（図１のＹ−Ｙ’間に相当する断面図）である。
【図１０】実施形態４に係る筐体構造体の構成を模式的に示した部分拡大断面図（図１のＸ−Ｘ’間に相当する部分拡大断面図）である。
【発明を実施するための形態】
【００１３】
以下、実施形態について図面を参照しつつ説明する。なお、本出願において図面参照符号を付している場合は、それらは、専ら理解を助けるためのものであり、図示の態様に限定することを意図するものではない。また、下記の実施形態は、あくまで例示であり、本発明を限定するものではない。
【００１４】
［実施形態１］
実施形態１に係る筐体構造体について図面を用いて説明する。図１は、実施形態１に係る筐体構造体の構成を模式的に示した斜視図である。図２は、実施形態１に係る筐体構造体の構成を模式的に示した展開斜視図である。図３は、実施形態１に係る筐体構造体の構成を模式的に示した図１のＸ−Ｘ’間の断面図である。図４は、実施形態１に係る筐体構造体の構成を模式的に示した図１のＸ−Ｘ’間の部分拡大断面図である。図５は、実施形態１に係る筐体構造体の構成を模式的に示した図１のＹ−Ｙ’間の断面図である。
【００１５】
筐体構造体１は、無線通信機器等のような屋外（屋内でも可）に設置される電子機器（屋外機器）の筐体構造体である（図１〜図５参照）。筐体構造体１の平面形状は、矩形状になっている。筐体構造体１は、第１筐体１０と第２筐体２０とが組み合わさり、第１ネジ３０及び第２ネジ４０によって第１筐体１０と第２筐体２０とが固定されるように構成されている。筐体構造体１は、第１筐体１０と第２筐体２０との間にパッキン５０を挟み込んだ防水、防塵構造を有する。筐体構造体１は、内部電子機器６０を第２筐体２０（第１筐体１０でも可）に取付けるように構成されている。筐体構造体１は、第１筐体１０と、第２筐体２０と、第１ネジ３０と、第２ネジ４０と、パッキン５０と、内部電子機器６０と、を有する。
【００１６】
第１筐体１０は、内部空間７０の平面（上面）ないし側面を覆い、内部空間７０の底面側で第２筐体２０によって覆われるように第２筐体２０と組み合わさる筐体構造体１の部品である（図１〜図５参照）。第１筐体１０の平面形状は、矩形状になっている。第１筐体１０は、側面に、底面側に延在し、かつ、外周に沿って連続して繋がった側壁１１ａ、１１ｂ、１１ｃ、１１ｄを有する。
【００１７】
側壁１１ａは、側壁１１ｄと対向する。側壁１１ｂは、側壁１１ｃと対向する。矩形状の３辺にある側壁１１ａ、１１ｂ、１１ｃは、それぞれ、内側の面に溝部１２を有する。溝部１２は、第１筐体１０の側壁１１ａ、１１ｂ、１１ｃの内側の面においてパッキン受面１３と鍔部１４との間にある。側壁１１ａの溝部１２には、第２筐体２０の側壁凸部２２ａ及びパッキン５０が挿入される。側壁１１ｂの溝部１２には、第２筐体２０の側壁凸部２２ｂが側壁１１ａ側に向かってスライド可能にガイドするように挿入される。側壁１１ｃの溝部１２には、第２筐体２０の側壁凸部２２ｃが側壁１１ａ側に向かってスライド可能にガイドするように挿入される。側壁１１ａ、１１ｂ、１１ｃの各溝部１２の溝幅は、第２筐体２０の側壁凸部２２ａ、２２ｂ、２２ｃの厚さにパッキン５０の厚さを加えた厚さよりも大きくなるように設定されている。
【００１８】
側壁１１ａ、１１ｂ、１１ｃの各溝部１２は、側壁１１ａ、１１ｂ、１１ｃの根元側の面にパッキン受面１３を有する。パッキン受面１３は、パッキン５０を受ける面である。パッキン受面１３は、外周に沿って連続的に繋がっている。パッキン受面１３は、第１筐体１０における側壁１１ｄの根元の内側に隣接する面にも連続して繋がっている。
【００１９】
側壁１１ａ、１１ｂ、１１ｃの各先端部には、内側に突出した鍔部１４を有する。鍔部１４には、複数のインサートナット１５が埋め込まれている。各インサートナット１５は、対応する第１ネジ３０と螺合する。なお、インサートナット１５を用いる代わりに、鍔部１４にネジ穴（図示せず）を形成してもよい。
【００２０】
側壁１１ｂの溝部１２、パッキン受面１３、及び、鍔部１４は、側壁１１ｃの溝部１２、パッキン受面１３、及び、鍔部１４と線対称になっている。側壁１１ａ、１１ｂ、１１ｃの各溝部１２、各パッキン受面１３、及び、各鍔部１４は、共通した断面構造となっている。
【００２１】
側壁１１ｄの先端部には、外側に突出した複数の鍔部１６を有する。各鍔部１６は、対応する第２筐体２０の鍔部２７と合わさるようになっている。各鍔部１６には、第２ネジ４０を挿通するための貫通穴１７を有する。
【００２２】
第２筐体２０は、内部空間７０の底面ないし側面を覆い、内部空間７０の平面側で第１筐体１０によって覆われるように第１筐体１０と組み合わさる筐体構造体１の部品である（図１〜図５参照）。第２筐体２０の平面形状は、矩形状になっている。第２筐体２０は、内側の面における第１筐体１０と対向する面に、内部電子機器６０を実装（固定）するための台座部２１を有する。第２筐体２０は、側面に、外周に沿って連続して繋がった側壁凸部２２ａ、２２ｂ、２２ｃ、及び、側壁２６を有する。
【００２３】
側壁凸部２２ａは、側壁２６と対向する。側壁凸部２２ｂは、側壁凸部２２ｃと対向する。側壁凸部２２ａは、第１筐体１０の側壁１１ａの溝部１２に挿入される。側壁凸部２２ｂは、第１筐体１０の側壁１１ｂの溝部１２に、側壁１１ａ側に向かってスライド可能にガイドされるように挿入される。側壁凸部２２ｃは、第１筐体１０の側壁１１ｃの溝部１２に、側壁１１ａ側に向かってスライド可能にガイドされるように挿入される。
【００２４】
側壁凸部２２ａ、２２ｂ、２２ｃは、それぞれ、第１筐体１０の側壁１１ａ、１１ｂ、１１ｃの各鍔部１４と対向する面にネジ受面２３を有する。ネジ受面２３は、第１ネジ３０の先端を受ける面である。
【００２５】
側壁凸部２２ａ、２２ｂ、２２ｃ、及び、側壁２６は、それぞれ、第１筐体１０側に突出し、かつ、外周に沿って連続して繋がったリブ２４を有する。リブ２４の先端部は、パッキン５０の座面となるパッキン座面２５を有する。パッキン座面２５には、パッキン５０が取付（接着、保持等でも可）られている。
【００２６】
側壁２６は、外側に突出した複数の鍔部２７を有する（図１、図２、図５参照）。各鍔部２７は、対応する第１筐体１０の鍔部１６と合わさるようになっている。各鍔部２７には、複数のインサートナット２８が埋め込まれている。各インサートナット２８は、対応する第２ネジ４０と螺合する。なお、インサートナット２８を用いる代わりに、鍔部２７にネジ穴（図示せず）を形成してもよい。
【００２７】
第１ネジ３０は、第２筐体２０のネジ受面２３を第１筐体１０側に押し付けて、第１筐体１０と第２筐体２０とを締結するためのネジである（図１〜図５参照）。第１ネジ３０は、第１筐体１０の側壁１１ａ、１１ｂ、１１ｃの鍔部１４のインサートナット１５と螺合する。第１ネジ３０をインサートナット１５に対して捻じ込むことで、第１ネジ３０の先端が第２筐体２０のネジ受面２３を押し付ける、第１筐体１０のパッキン受面１３と第２筐体２０のパッキン座面２５との間にあるパッキン５０を圧縮することができる。第１ネジ３０の軸力方向は、パッキン５０の圧縮力方向と一致する。
【００２８】
第２ネジ４０は、第１筐体１０の鍔部１６と第２筐体２０の鍔部２７とを締結して、第１筐体１０と第２筐体２０とを締結するためのネジである（図１、図２、図５参照）。第２ネジ４０は、第１筐体１０の鍔部１６の貫通穴１７を挿通し、かつ、第２筐体２０の鍔部２７のインサートナット２８と螺合する。第２ネジ４０をインサートナット２８に捻じ込むことで、第２ネジ４０の頭部によって第１筐体１０の鍔部１６を第２筐体２０の鍔部２７に寄せ付け、第１筐体１０のパッキン受面１３と第２筐体２０のパッキン座面２５との間にあるパッキン５０を圧縮することができる。第２ネジ４０の軸力方向は、パッキン５０の圧縮力方向と一致する。
【００２９】
パッキン５０は、第１筐体１０と第２筐体２０との間の隙間を封止する部材である（図２〜図５参照）。パッキン５０は、環状になっている。パッキン５０は、第２筐体２０のリブ２４の先端のパッキン座面２５に固定（取付、接着、保持等でも可）されている。なお、パッキン５０は、第１筐体１０のパッキン受面１３に固定（取付、接着、保持等でも可）されてもよい。パッキン５０は、第１ネジ３０及び第２ネジ４０を締め込むことによって、パッキン受面１３とパッキン座面２５との間に挟みこまれて圧縮される。パッキン５０は、第１ネジ３０の軸線上に配される。
【００３０】
内部電子機器６０は、筐体構造体１の内部空間７０に実装された電子機器である（図２〜図５参照）。内部電子機器６０は、第２筐体２０に組み付けられている。内部電子機器６０には、例えば、多素子アンテナユニットを用いることができる。内部電子機器６０は、図２〜図５においては、アンテナ素子６２と、配線が形成されたプリント配線基板６１と、を有する。プリント配線基板６１には、アンテナ素子６２が実装（固定）されている。
【００３１】
次に、実施形態１に係る筐体構造体の組立方法について図面を用いて説明する。図６は、実施形態１に係る筐体構造体の組立方法の第１の工程を模式的に示した図１のＹ−Ｙ’間の断面図である。図７は、実施形態１に係る筐体構造体の組立方法の第２の工程を模式的に示した図１のＹ−Ｙ’間の断面図である。
【００３２】
まず、プリント配線基板６１にアンテナ素子６２が実装された内部電子機器６０を第２筐体２０の台座部２１に実装し、パッキン５０を第２筐体２０のパッキン座面２５に取り付ける（ステップＡ１；図６参照）。
【００３３】
次に、第２筐体２０の側壁凸部２２ｂ、２２ｃ及びパッキン５０を、第１筐体１０の側壁１１ｄ側の側面から、対応する第１筐体１０の側壁１１ｂ、１１ｃの溝部１２に挿入し、第２筐体２０の側壁凸部２２ｂ、２２ｃの各ネジ受面２３を、対応する第１筐体１０の側壁１１ｂ、１１ｃの鍔部１４に当接させながら、第２筐体２０の側壁凸部２２ａが、第１筐体１０の側壁１１ａの溝部１２に当接するまで、第１筐体１０に対して第２筐体２０をスライドさせる（ステップＡ２；図６、図７参照）。
【００３４】
ステップＡ２により、第１筐体１０の貫通穴１７と第２筐体２０のインサートナット２８の穴との位置が一致する。なお、第２筐体２０のリブ２４及びパッキン５０は、第１筐体１０の鍔部１６と抵触しないように設定されており、かつ、第１筐体１０のパッキン受面１３に抵触しないように設定されている。
【００３５】
最後に、第１ネジ３０を第１筐体１０のインサートナット１５に捻じ込み、かつ、第２ネジ４０を、第１筐体１０の貫通穴１７に挿通して第２筐体２０のインサートナット２８に捻じ込む（ステップＡ３；図５参照）。これにより、パッキン受面１３とパッキン座面２５との間にあるパッキン５０が圧縮される。
【００３６】
実施形態１によれば、第１筐体１０に対して第２筐体２０を一方向から挿入して第１ネジ３０で第１筐体１０と第２筐体２０とを締結する構造にすることにより、挿入方向以外の各辺において締結に必要な空間を小さくすることができ、ネジ締結部の省スペース化を行い側壁部の突出を抑えることに貢献することができる。
【００３７】
また、実施形態１によれば、ネジ締結部の省スペース化を行い側壁部の突出を抑えることにより、隣接する内部電子機器６０内のアンテナ素子６２間の距離を短くすることができる。
【００３８】
さらに、実施形態１によれば、ネジ締結部の省スペース化を行い側壁部の突出を抑えることにより、装置全体を小型化することができる。
【００３９】
［実施形態２］
実施形態２に係る筐体構造体について図面を用いて説明する。図８は、実施形態２に係る筐体構造体の構成を模式的に示した断面図（図１のＹ−Ｙ’間に相当する断面図）である。
【００４０】
実施形態２は、実施形態１の変形例であり、第２筐体２０の鍔部２７においてインサートナット（図５の２８）を設けるのをやめ貫通穴２９を形成し、第１筐体１０の鍔部１６において貫通穴（図５の１７）を設けるのをやめインサートナット１８を設けたものである。第２ネジ４０のネジ部を第２筐体２０の鍔部２７の貫通穴２９を挿通して第１筐体１０の鍔部１６のインサートナット１８に捻じ込むことで、第２ネジ４０の頭部によって第２筐体２０の鍔部２７を第１筐体１０の鍔部１６に寄せ付け、第１筐体１０のパッキン受面１３と第２筐体２０のパッキン座面２５との間にあるパッキン５０を圧縮することができる。その他の構成は、実施形態１と同様である。
【００４１】
実施形態２によれば、実施形態１と同様に、第１筐体１０に対して第２筐体２０を一方向から挿入して第１ネジ３０で第１筐体１０と第２筐体２０とを締結する構造にすることにより、挿入方向以外の各辺において締結に必要な空間を小さくすることができ、ネジ締結部の省スペース化を行い側壁部の突出を抑えることに貢献することができる。
【００４２】
［実施形態３］
実施形態３に係る筐体構造体について図面を用いて説明する。図９は、実施形態３に係る筐体構造体の構成を模式的に示した断面図（図１のＹ−Ｙ’間に相当する断面図）である。
【００４３】
実施形態３は、実施形態１の変形例であり、インサートナット（図５の２８）の代わりに、鍔部２７に貫通穴２９を形成し、第２ネジ４０のネジ部を、鍔部１６の貫通穴１７と鍔部２７の貫通穴２９とに挿通して、鍔部２７の底面側に配されたナット４１に螺合させることで、第２ネジ４０の頭部とナット４１との間で鍔部１６、２７が締め付けられ、第１筐体１０のパッキン受面１３と第２筐体２０のパッキン座面２５との間にあるパッキン５０を圧縮することができる。その他の構成は、実施形態１と同様である。
【００４４】
実施形態３によれば、実施形態１と同様に、第１筐体１０に対して第２筐体２０を一方向から挿入して第１ネジ３０で第１筐体１０と第２筐体２０とを締結する構造にすることにより、挿入方向以外の各辺において締結に必要な空間を小さくすることができ、ネジ締結部の省スペース化を行い側壁部の突出を抑えることに貢献することができる。
【００４５】
［実施形態４］
実施形態４に係る筐体構造体について図面を用いて説明する。図１０は、実施形態４に係る筐体構造体の構成を模式的に示した部分拡大断面図（図１のＸ−Ｘ’間に相当する部分拡大断面図）である。
【００４６】
筐体構造体１は、第１筐体１０と第２筐体２０とがネジ３０によって組み合わさった構成である。筐体構造体１は、第１筐体１０と第２筐体２０との間にパッキン５０が挟み込まれた構成となっている。筐体構造体１は、第１筐体１０と第２筐体２０とによって覆われた内部空間７０にて内部電子機器６０が第２筐体２０（又は第１筐体１０でも可）に実装された構成となっている。
【００４７】
第１筐体１０は、内部空間７０の側面を覆う側壁１１を有する。第１筐体１０は、側壁１１の内側に設けられた溝部１２を有する。第１筐体１０は、溝部１２における側壁１１の根元側にてパッキン５０と接するパッキン受面１３を有する。第１筐体１０は、溝部１２における側壁１１の先端側にて内側に突出した鍔部１４を有する。第１筐体１０は、鍔部１４に設けられたネジ穴１５を有する。
【００４８】
第２筐体２０は、内部空間７０の側面を覆うとともに、外側に突出し、かつ、溝部１２に挿入された側壁凸部２２を有する。第２筐体２０は、側壁凸部２２における鍔部１４側にてネジ３０と接するネジ受面２３を有する。第２筐体２０は、側壁凸部２２におけるパッキン受面１３側にてパッキン５０と接するパッキン座面２５を有する。
【００４９】
ネジ３０は、第１筐体１０のネジ穴１５に捻じ込まれることで、ネジ３０の先端が第２筐体２０のネジ受面２３を押し付けて、第１筐体１０のパッキン受面１３と第２筐体２０のパッキン座面２５との間に配されたパッキン５０を圧縮するように構成される。
【００５０】
実施形態４によれば、平面的に見てネジ締結部でネジ３０をパッキン５０と重なるように配設することができるので、ネジ締結部の省スペース化を行い側壁部の突出を抑えることに貢献することができる。
【００５１】
上記実施形態の一部または全部は以下の付記のようにも記載され得るが、以下には限られない。
【００５２】
（付記）
本発明では、前記第１の視点に係る筐体構造体の形態が可能である。
【００５３】
前記第１の視点に係る筐体構造体において、前記パッキンは、前記ネジの軸線上に配される。
【００５４】
前記第１の視点に係る筐体構造体において、前記筐体構造体の平面形状は、矩形状であり、前記第１筐体は、前記矩形状の３辺にて、前記側壁、前記溝部、前記パッキン受面、前記鍔部、及び、前記ネジ穴を有し、前記第２筐体は、前記矩形状の前記３辺にて、前記側壁凸部、前記ネジ受面、及び、前記パッキン座面を有する。
【００５５】
前記第１の視点に係る筐体構造体において、前記第１筐体の前記溝部の溝幅は、前記側壁凸部の厚さに前記パッキンの厚さを加えた厚さよりも大きくなるように設定されている。
【００５６】
前記第１の視点に係る筐体構造体において、前記パッキンは、前記パッキン受面又は前記パッキン座面に固定されている。
【００５７】
前記第１の視点に係る筐体構造体において、前記第１筐体の前記ネジ穴は、前記鍔部に埋め込まれたインサートナットである。
【００５８】
前記第１の視点に係る筐体構造体において、前記第１筐体と前記第２筐体とを組み合わせる他のネジをさらに有し、前記第１筐体は、前記矩形状の前記３辺以外の辺にて、他の側壁を有し、前記第１筐体の前記他の側壁は、先端部にて外側に突出した他の鍔部を有し、前記第１筐体の前記他の鍔部は、貫通穴を有し、前記第１筐体の前記パッキン受面は、前記第１筐体の前記他の側壁の根元の内側に隣接する面にも繋がっており、前記第２筐体は、前記矩形状の前記３辺以外の辺にて、側壁を有し、前記第２筐体の前記側壁は、先端部にて外側に突出した鍔部を有し、前記第２筐体の前記鍔部は、ネジ穴を有し、前記第２筐体の前記側壁は、前記第２筐体の前記パッキン座面を有し、前記他のネジは、前記第１筐体の前記貫通穴を挿通し、かつ、前記第２筐体の前記ネジ穴に捻じ込まれることで、前記第１筐体の前記パッキン受面と前記第２筐体の前記パッキン座面との間に配された前記パッキンを圧縮するように構成される。
【００５９】
前記第１の視点に係る筐体構造体において、前記第１筐体と前記第２筐体とを組み合わせる他のネジをさらに有し、前記第１筐体は、前記矩形状の前記３辺以外の辺にて、他の側壁を有し、前記第１筐体の前記他の側壁は、先端部にて外側に突出した他の鍔部を有し、前記第１筐体の前記他の鍔部は、他のネジ穴を有し、前記第１筐体の前記パッキン受面は、前記第１筐体の前記他の側壁の根元の内側に隣接する面にも繋がっており、前記第２筐体は、前記矩形状の前記３辺以外の辺にて、側壁を有し、前記第２筐体の前記側壁は、先端部にて外側に突出した鍔部を有し、前記第２筐体の前記鍔部は、貫通穴を有し、前記第２筐体の前記側壁は、前記第２筐体の前記パッキン座面を有し、前記他のネジは、前記第２筐体の前記貫通穴を挿通し、かつ、前記第１筐体の前記他のネジ穴に捻じ込まれることで、前記第１筐体の前記パッキン受面と前記第２筐体の前記パッキン座面との間に配された前記パッキンを圧縮するように構成される。
【００６０】
前記第１の視点に係る筐体構造体において、前記第１筐体と前記第２筐体とを組み合わせる他のネジ及びナットをさらに有し、前記第１筐体は、前記矩形状の前記３辺以外の辺にて、他の側壁を有し、前記第１筐体の前記他の側壁は、先端部にて外側に突出した他の鍔部を有し、前記第１筐体の前記他の鍔部は、貫通穴を有し、前記第１筐体の前記パッキン受面は、前記第１筐体の前記他の側壁の根元の内側に隣接する面にも繋がっており、前記第２筐体は、前記矩形状の前記３辺以外の辺にて、側壁を有し、前記第２筐体の前記側壁は、先端部にて外側に突出した鍔部を有し、前記第２筐体の前記鍔部は、貫通穴を有し、前記第２筐体の前記側壁は、前記第２筐体の前記パッキン座面を有し、前記他のネジは、前記第１筐体の前記貫通穴を挿通し、かつ、前記第２筐体の前記貫通穴を貫通し、前記ナットと螺合することで、前記第１筐体の前記パッキン受面と前記第２筐体の前記パッキン座面との間に配された前記パッキンを圧縮するように構成される。
【００６１】
本発明では、前記第２の視点に係る筐体構造体の組立方法の形態が可能である。
【００６２】
なお、上記の特許文献の開示を、本書に引用をもって繰り込むものとする。本発明の全開示（特許請求の範囲及び図面を含む）の枠内において、さらにその基本的技術思想に基づいて、実施形態ないし実施例の変更・調整が可能である。また、本発明の全開示の枠内において種々の開示要素（各請求項の各要素、各実施形態ないし実施例の各要素、各図面の各要素等を含む）の多様な組み合わせないし選択（必要により不選択）が可能である。すなわち、本発明は、請求の範囲及び図面を含む全開示、技術的思想にしたがって当業者であればなし得るであろう各種変形、修正を含むことは勿論である。また、本願に記載の数値及び数値範囲については、明記がなくともその任意の中間値、下位数値、及び、小範囲が記載されているものとみなされる。
【符号の説明】
【００６３】
１  筐体構造体
１０  第１筐体
１１、１１ａ、１１ｂ、１１ｃ  側壁
１１ｄ  側壁（他の側壁）
１２  溝部
１３  パッキン受面
１４  鍔部
１５  インサートナット（ネジ穴）
１６  鍔部（他の鍔部）
１７  貫通穴
１８  インサートナット（他のネジ穴）
２０  第２筐体
２１  台座部
２２、２２ａ、２２ｂ、２２ｃ  側壁凸部
２３  ネジ受面
２４  リブ
２５  パッキン座面
２６  側壁
２７  鍔部
２８  インサートナット（ネジ穴）
２９  貫通穴
３０  第１ネジ（ネジ）
４０  第２ネジ（他のネジ）
４１  ナット
５０  パッキン
６０  内部電子機器
６１  プリント配線基板
６２  アンテナ素子
７０  内部空間
【図１】
2019189677.tif 000003
【図２】
2019189677.tif 000004
【図３】
2019189677.tif 000005
【図４】
2019189677.tif 000006
【図５】
2019189677.tif 000007
【図６】
2019189677.tif 000008
【図７】
2019189677.tif 000009
【図８】
2019189677.tif 000010
【図９】
2019189677.tif 000011
【図１０】
2019189677.tif 000012
【国際調査報告】
2019189677.tif 000013
2019189677.tif 000014
2019189677.tif 000015
2019189677.tif 000016